(57)【要約】【課題】電波信号の受信性能を向上させた小型の照明器具を提供する。【解決手段】照明器具Ａは、器具本体１と、器具本体１の一面に配置される二重環形蛍光ランプ３と、電波信号により送信されるリモコン信号を受信するための受信用アンテナを具備する電波受信部２と、上記受信用アンテナにより受信した電波信号に応じて二重環形蛍光ランプ３の点灯出力を制御するインバータ回路４とを備えている。そして、電波受信部２は、器具本体１において少なくとも一部が二重環形蛍光ランプ３よりも外側となるように配置されている。【選択図】図１
2011049008.tif 000002
【特許請求の範囲】
【請求項１】
器具本体と、器具本体の一面に配置される光源と、電波信号により送信されるリモコン信号を受信するための受信用アンテナと、受信用アンテナにより受信した電波信号に応じて前記光源の点灯出力を制御する点灯回路とを備え、前記受信用アンテナは、前記器具本体において少なくとも一部が前記光源よりも外側に配置されたことを特徴とする照明器具。
【請求項２】
前記光源は蛍光ランプからなり、前記点灯回路は当該蛍光ランプを高周波点灯させるインバータ回路からなり、前記電波信号として前記蛍光ランプの点灯周波数と異なる周波数の電波信号を用いることを特徴とする請求項１記載の照明器具。
【請求項３】
前記光源は、両端部に備える一対の電極間に環状の放電路が形成された環形蛍光ランプからなることを特徴とする請求項１または２の何れか１項に記載の照明器具。
【請求項４】
前記光源は、一端部に電極を有し他端部が閉塞された二本の環形発光管を同一平面において同心円状に配置し、前記他端部近傍をブリッジ接合により接合することで内部に一つの放電路が形成された二重環形蛍光ランプからなることを特徴とする請求項１または２の何れか１項に記載の照明器具。
【請求項５】
前記光源は、両端部に備える一対の電極間に形成される放電路が当該放電路の中央を中心として両側に略一平面を渦巻状に旋回する二重渦巻形蛍光ランプからなることを特徴とする請求項１または２の何れか１項に記載の照明器具。
【請求項６】
前記環形蛍光ランプまたは二重環形蛍光ランプの何れか一方を前記光源として用い、当該蛍光ランプを同一平面において同心円状に複数配置したことを特徴とする請求項３または４の何れか１項に記載の照明器具。
【発明の詳細な説明】
【技術分野】
【０００１】
本発明は、電波式のリモコン送信器により制御可能な照明器具に関するものである。
【背景技術】
【０００２】
従来より、通信媒体として赤外線を利用したリモコン式の照明器具が提供されている（例えば特許文献１参照）。この照明器具には、赤外線信号を受信するための受光素子が設けられており、リモコン送信器からの赤外線信号を受光素子が受信すると、赤外線信号に含まれる制御内容に応じて点灯回路が制御され、蛍光ランプが点灯、消灯または調光するようになっている。
【０００３】
ここにおいて、上記の受光素子は、ランプ光に含まれる赤外波長の光をノイズとして受けるため、ランプ光の影響を受けにくい位置に配置する必要があり、またリモコン送信器から送信される赤外線信号は一般的に指向性が強いため、器具の下面や側面から送信されても受信できるような位置に配置する必要がある。
【０００４】
そのため、二重環形ランプなどの環形蛍光ランプを用いた照明器具では、蛍光ランプの内側に受光素子を配置するのが一般的であり、この位置に受光素子を配置することでランプ光は届きにくく、且つ、何れの方向から赤外線信号を送信しても受信できるようになっている。
【先行技術文献】
【特許文献】
【０００５】
【特許文献１】特開２００４−３５５８７５号公報（段落［０００６］−段落［０００９］、及び、第１，２図）
【発明の概要】
【発明が解決しようとする課題】
【０００６】
上述の特許文献１のように赤外波長の光を含む光源を搭載した照明器具において、赤外線信号からなるリモコン信号を受信する受光素子を蛍光ランプの内側に配置して信号／ノイズ比を向上させるのには限界がある。特に、図５に示すように二重渦巻形状の蛍光ランプ６を用いた場合には、器具本体１の中央部にまで蛍光ランプ６が配置されるため、器具本体１の中央寄りの位置に受光素子（図示せず）を配置できるものではなかった。そのため、受光素子をランプ光の影響の少ない場所、例えば器具外に配置すれば信号／ノイズ比を向上させることはできるが、この場合器具本体が大型化するとともに、意匠的に好ましくないものであった。
【０００７】
そこで、上記の問題を解決するために、赤外線の代わりに電波を利用することが考えられるが、例えばインバータ式の照明器具の場合には、点灯回路やランプから輻射される高周波電磁ノイズが、電波信号よりなるリモコン信号に対してノイズとなる可能性があった。
【０００８】
本発明は上記問題点に鑑みて為されたものであり、その目的とするところは、電波信号の受信性能を向上させた小型の照明器具を提供することにある。
【課題を解決するための手段】
【０００９】
請求項１の発明は、器具本体と、器具本体の一面に配置される光源と、電波信号により送信されるリモコン信号を受信するための受信用アンテナと、受信用アンテナにより受信した電波信号に応じて光源の点灯出力を制御する点灯回路とを備え、受信用アンテナは、器具本体において少なくとも一部が光源よりも外側に配置されたことを特徴とする。
【００１０】
請求項２の発明は、光源は蛍光ランプからなり、点灯回路は当該蛍光ランプを高周波点灯させるインバータ回路からなり、電波信号として蛍光ランプの点灯周波数と異なる周波数の電波信号を用いることを特徴とする。
【００１１】
請求項３の発明は、光源は、両端部に備える一対の電極間に環状の放電路が形成された環形蛍光ランプからなることを特徴とする。
【００１２】
請求項４の発明は、光源は、一端部に電極を有し他端部が閉塞された二本の環形発光管を同一平面において同心円状に配置し、他端部近傍をブリッジ接合により接合することで内部に一つの放電路が形成された二重環形蛍光ランプからなることを特徴とする。
【００１３】
請求項５の発明は、光源は、両端部に備える一対の電極間に形成される放電路が当該放電路の中央を中心として両側に略一平面を渦巻状に旋回する二重渦巻形蛍光ランプからなることを特徴とする。
【００１４】
請求項６の発明は、環形蛍光ランプまたは二重環形蛍光ランプの何れか一方を光源として用い、当該蛍光ランプを同一平面において同心円状に複数配置したことを特徴とする。
【発明の効果】
【００１５】
請求項１の発明によれば、器具本体において少なくとも一部が光源よりも外側となるように受信用アンテナを配置しているので、光源からの高周波電磁ノイズの影響を低減でき、その結果電波信号の受信性能を向上させることができる。また、受信用アンテナを配置するために器具本体を大きくしなくてもいいので、従来例に比べて器具本体の小型化が図れ、さらに大型化することによる意匠的な制約も軽減されるという効果がある。
【００１６】
請求項２の発明によれば、蛍光ランプの点灯周波数と異なる周波数の電波信号を利用することによって、蛍光ランプまたは点灯回路から輻射されるノイズの影響を抑えることができ、その結果電波信号を確実に受信することができるという効果がある。
【００１７】
請求項３の発明によれば、請求項１または２と同様の効果が得られる。
【００１８】
請求項４の発明によれば、請求項１または２と同様の効果が得られる。
【００１９】
請求項５の発明によれば、請求項１または２と同様の効果が得られるとともに、従来例では赤外線信号を受信するための受光素子を配置するために器具本体を大きくする必要があるが、本発明によれば器具本体を大きくすることなく受信用アンテナを配置することができ、従来例に比べて小型化が図れるという効果がある。
【００２０】
請求項６の発明によれば、請求項３または４と同様の効果が得られる。
【図面の簡単な説明】
【００２１】
【図１】実施形態１の照明器具を模式的に表したものであり、（ａ）は下面図、（ｂ）は一部破断せる側断面図である。
【図２】同上の概略ブロック図である。
【図３】（ａ），（ｂ）は同上の他の例を模式的に表した下面図である。
【図４】実施形態２の照明器具を模式的に表したものであり、（ａ）は下面図、（ｂ）は一部破断せる側断面図である。
【図５】従来例の照明器具を模式的に表した下面図である。
【発明を実施するための形態】
【００２２】
以下に、本発明に係る照明器具の実施形態を図面に基づいて説明する。本発明に係る照明器具は、例えば天井直付け型の照明器具であって、室内などを照明するために用いられるものであり、リモコン送信器から電波信号により送信されるリモコン信号に応じて遠隔制御できるようになっている。
【００２３】
（実施形態１）
図１（ａ）（ｂ）は本実施形態の照明器具Ａを示し、本照明器具Ａは、器具本体１と、器具本体１の一面（図１（ｂ）中の下面）に配置される二重環形蛍光ランプ（光源）３と、リモコン送信器（図示せず）から電波信号により送信されるリモコン信号を受信するための受信用アンテナ２０（図２参照）を具備する電波受信部２と、受信用アンテナ２０により受信した電波信号に応じて二重環形蛍光ランプ３の点灯出力を制御するインバータ回路（点灯回路）４とを備えている。
【００２４】
器具本体１は、例えば天井面などの造営面に取り付けられる金属（例えば鉄板など）製の略円板状の取付ベース１０と、同じく金属製であって取付ベース１０の下面に固定されたインバータ回路４を覆うようにして取付ベース１０に取り付けられる下面カバー１１とで構成されており、取付ベース１０および下面カバー１１の中央部には、図示しない引掛けシーリングを挿通するための挿通孔１ａが連通する形で設けられている。なお、下面カバー１１の下面は、二重環形蛍光ランプ３からの光を下方に反射させるための反射面となっている。
【００２５】
二重環形蛍光ランプ３は、一端部に電極（図示せず）を有し他端部が閉塞された二本の環形発光管３ａ，３ａを同一平面において同心円状に配置したものであり、上記の他端部近傍をブリッジ接合により一体に接合することで内部に一つの放電路を形成している。なお、二重環形蛍光ランプ３については従来周知のものであるから、詳細については説明を省略する。
【００２６】
受信用アンテナ２０は、基板上に導電パターンで作製されるか、または金属線からなり、この受信用アンテナ２０と受信回路２１とを同一基板上に形成して電波受信部２を構成している（図２参照）。そして、本実施形態では、上記の電波受信部２を、器具本体１において蛍光ランプ３よりも外側に配置している。なお、本実施形態では、金属製の下面カバー１１によってリモコン送信器からのリモコン信号が遮蔽されないように、下面カバー１１に切欠部１１ａを設けて電波受信部２を露出させており、さらに電波受信部２を図示しない樹脂カバーで覆っている。
【００２７】
また、本実施形態では、インバータ回路４により二重環形蛍光ランプ３を高周波点灯させているため、電波信号の周波数が二重環形蛍光ランプ３の点灯周波数と同じ帯域である場合には、二重環形蛍光ランプ３またはインバータ回路４から輻射される高周波電磁ノイズによって照明器具Ａが誤動作する虞がある。そこで、本実施形態では、二重環形蛍光ランプ３の点灯周波数と異なる周波数の電波信号を用いることで、二重環形蛍光ランプ３またはインバータ回路４から輻射される高周波電磁ノイズの影響を受けないようにしている。例えば、二重環形蛍光ランプ３の点灯周波数６０〜９０ｋＨｚに対して、電波信号の周波数として３００ＭＨｚ帯、４００ＭＨｚ帯または２．４ＧＨｚ帯などの周波数を選択する。
【００２８】
以上のことから、本実施形態によれば、受信用アンテナ２０を含む電波受信部２を二重環形蛍光ランプ３よりも外側に配置することで、二重環形蛍光ランプ３やインバータ回路４が発する高周波電磁ノイズの影響を低減し、また下面カバー１１の電波受信部２と干渉する部位に切欠部１１ａを設けることで、受信用アンテナ２０の少なくとも一部を金属製の器具本体１で遮蔽されない位置に配置しているので、リモコン送信器からの電波信号が下面カバー１１によって遮蔽されるのを抑えることができ、その結果電波信号の受信性能を向上させることができる。また、受信用アンテナ２０を含む電波受信部２を配置するために器具本体１を大きくしなくてもいいので、従来例に比べて器具本体１の小型化が図れ、さらに大型化することによる意匠的な制約も軽減される。
【００２９】
また、二重環形蛍光ランプ３の点灯周波数と異なる周波数の電波信号を利用することによって、二重環形蛍光ランプ３またはインバータ回路４から輻射される高周波電磁ノイズの影響をさらに抑えることができ、その結果電波信号を確実に受信することができる。さらに、電波は赤外線のように指向性が強くないため、図１（ｂ）中の矢印Ｂの方向（電波受信部２を配置した側と反対側）から電波を送信した場合でも、同図矢印Ａの方向（電波受信部２を配置した側）から電波を送信した場合と同様に電波を受信することができる。
【００３０】
次に、図３（ａ）（ｂ）は本実施形態の照明器具Ａの他の例を示しており、図３（ａ）では、両端部に備える一対の電極（図示せず）間に、放電路を構成する環状の発光管５ａが設けられた環形蛍光ランプ５，５を、同一平面において同心円状に配置したものを光源として用いており、また図３（ｂ）では、上記の二重環形蛍光ランプ３，３を同一平面において同心円状に配置したものを光源として用いている。そして、何れの場合も図１（ａ）（ｂ）のように、電波受信部２を二重環形蛍光ランプ３（または環形蛍光ランプ５）よりも外側に配置するとともに、下面カバー１１の当該電波受信部２と干渉する部位に切欠部１１ａを設けているため、電波信号の受信性能を向上させることができるとともに、器具本体１の小型化が図れる。
【００３１】
（実施形態２）
本発明に係る照明器具Ａの実施形態２を図４（ａ）（ｂ）に基づいて説明する。実施形態１では、天井面と直交する方向（図１（ａ）中の紙面に垂直な方向）において、二重環形蛍光ランプ３と重ならないように電波受信部２を配置しているが、本実施形態では、受信用アンテナ２０の受信性能に影響を与えない範囲で二重渦巻形蛍光ランプ６と重なるように電波受信部２を配置している。なお、実施形態１と同一の構成要素には、同一の符号を付して説明は省略する。
【００３２】
本実施形態の照明器具Ａは、器具本体１と、二重渦巻形蛍光ランプ６と、電波受信部２と、インバータ回路４とを備えている。
【００３３】
二重渦巻形蛍光ランプ６は、放電路を構成する発光管６ａが、その中央を中心として両側に略一平面を渦巻状に旋回する二重渦巻形状に形成され、発光管６ａの両端部には図示しない電極がそれぞれ設けられている。なお、二重渦巻形蛍光ランプ６については従来周知のものであるから、詳細については説明を省略する。
【００３４】
ここで、本実施形態では、天井面と直交する方向（図４（ａ）中の紙面に垂直な方向）において、電波受信部２の一部が二重渦巻形蛍光ランプ６の発光管６ａと重なるように配置されており、そのラップ量は受信アンテナ２０の受信性能に影響を与えない範囲に設定されている。また、下面カバー１１には、実施形態１と同様に切欠部１１ａが設けられており、下面カバー１１により電波信号が遮蔽されるのを防止している。
【００３５】
したがって、実施形態１と同様に、受信用アンテナ２０を含む電波受信部２を二重渦巻形蛍光ランプ６よりも外側に配置することで、二重渦巻形蛍光ランプ６やインバータ回路４が発する高周波電磁ノイズの影響を低減し、また受信用アンテナ２０の少なくとも一部を金属製の器具本体１で遮蔽されない位置に配置しているので、リモコン送信器からの電波信号が下面カバー１１によって遮蔽されるのを抑えることができ、その結果電波信号の受信性能を向上させることができる。さらに従来例では、赤外線信号を受信するための受光素子を配置するために器具本体を大きくする必要があるが、本実施形態によれば器具本体１を大きくすることなく電波受信部２（受信用アンテナ２０）を配置することができ、従来例に比べて小型化が図れる。
【００３６】
なお、本実施形態では、二重渦巻形蛍光ランプ６の場合を例に説明したが、例えば上述した環形蛍光ランプ５や二重環形蛍光ランプ３など、他のランプであってもよく、同様の効果が得られる。
【符号の説明】
【００３７】
１  器具本体
２  電波受信部
３  二重環形蛍光ランプ（光源）
４  インバータ回路（点灯回路）
２０  受信用アンテナ
Ａ  照明器具
【図１】
2011049008.tif 000003
【図２】
2011049008.tif 000004
【図３】
2011049008.tif 000005
【図４】
2011049008.tif 000006
【図５】
2011049008.tif 000007